(57)【要約】【課題】無線通信システムにおいて隣接チャネル干渉を検出しそして軽減する。【解決手段】１つの観点において、ＡＣＩはシグナリングにより決定すること、あるいは、ＡＣＩが存在するかも知れない各々の周波数範囲内の前処理された信号を濾波し、各周波数範囲に対する濾波された信号のエネルギーを推定し、推定されたエネルギーをＡＣＩしきい値に対して比較し、そして比較の結果に基づいて各周波数範囲におけるＡＣＩの存在あるいは非存在を示すことによって検出することが可能である。他の観点においては、いくつかの可能な濾波器応答を有する選択可能な濾波器（２４２）が、前処理された信号に対する濾波を与え、そしていずれかの検出されたＡＣＩを排除するために使用することが可能である。可能な濾波器応答の一つがＡＣＩが検出されているかどうか、そしてどこに検出されているかによって、使用のために選択される。
2005509352.tif 000002
【特許請求の範囲】
【請求項１】
無線通信システムにおける隣接チャネル干渉（ＡＣＩ）を軽減するための方法であって、
必要とされる信号成分を含む前処理された信号内の１個あるいはそれ以上の周波数範囲の各々の中のＡＣＩの存在あるいは非存在を決定し、
１個あるいはそれ以上の周波数範囲の各々の中の決定されたＡＣＩの存在あるいは非存在に基づいて複数の可能な濾波器応答の中から特定の濾波器応答を選択し、そして
前処理された信号を選択された濾波器応答で濾波する
ことを含む方法。
【請求項２】
ここで、前処理された信号内のＡＣＩの存在あるいは非存在は、
前処理された信号を、１個あるいはそれ以上の周波数範囲の各々に対する、それぞれのＡＣＩ検出濾波器を用いて濾波し、そして
それぞれのＡＣＩ検出濾波器からの濾波された信号に基づいて、各周波数範囲内のＡＣＩの存在あるいは非存在を決定する
ことによって決定される、請求項１記載の方法。
【請求項３】
ここで、前処理された信号内のＡＣＩの存在あるいは非存在はさらに、
各ＡＣＩ検出濾波器からの濾波された信号のエネルギーを推定し、
各ＡＣＩ検出濾波器に対する推定されたエネルギーをそれぞれのしきい値に対して比較し、ここで各周波数範囲内の ＡＣＩの存在あるいは非存在は、比較の結果に基づいて決定される、請求項２記載の方法。
【請求項４】
ここで、各ＡＣＩ検出濾波器は帯域濾波器として実現される、請求項２記載の方法。
【請求項５】
ここで、各ＡＣＩ検出濾波器は、検出されている周波数範囲内のＡＣＩに関するスペクトル分布にほぼ整合した応答を有する、請求項２記載の方法。
【請求項６】
ここで、前処理された信号は、必要とされる信号成分の上側帯域端部および下側帯域端部におけるＡＣＩに対する、２個のＡＣＩ検出濾波器を用いて濾波される、請求項２記載の方法。
【請求項７】
ここで、各ＡＣＩ検出濾波器は、必要とされる信号成分のそれぞれの帯域端部が重なり合う応答を有している、請求項６記載の方法。
【請求項８】
ここで、前処理された信号内のＡＣＩの存在あるいは非存在はシグナリングによって決定される、請求項１記載の方法。
【請求項９】
ここで、複数の可能な濾波器応答は、複数の濾波器係数の組み合わせによって与えられる、請求項１記載の方法。
【請求項１０】
ここで、複数の濾波器係数の組み合わせは、有限インパルス応答（ＦＩＲ）濾波器に対するものである、請求項９記載の方法。
【請求項１１】
ここで、複数の可能な濾波器応答は、もしもＡＣＩが必要とされる信号成分の上側帯域端部において存在すると決定される場合は、使用のために選択された第１の濾波器応答を含む、請求項１記載の方法。
【請求項１２】
ここで、複数の可能な濾波器応答は、もしもＡＣＩが必要とされる信号成分の下側帯域端部において存在すると決定される場合は、使用のために選択された第２の濾波器応答を含む、請求項１記載の方法。
【請求項１３】
ここで、複数の可能な濾波器応答は、もしもＡＣＩが必要とされる信号成分の上側帯域端部および下側帯域端部の両者において存在すると決定される場合は、使用のために選択された第３の濾波器応答を含む、請求項１記載の方法。
【請求項１４】
ここで、複数の可能な濾波器応答は、もしもＡＣＩが前処理された信号から非存在であると決定される場合は、使用のために選択された第４の濾波器応答を含む、請求項１記載の方法。
【請求項１５】
ここで、複数の可能な濾波器応答の各々は、前処理された信号内のＡＣＩに対するそれぞれの仮定に基づいて、信号対雑音および干渉比（ＳＩＮＲ）を最大とするように導出される、請求項１記載の方法。
【請求項１６】
ここで、各仮定は、前処理された信号内のＡＣＩに対する仮定された位置およびスペクトル分布の表示である、請求項１５記載の方法。
【請求項１７】
ＣＤＭＡシステムにおいて隣接チャネル干渉（ＡＣＩ）を軽減するための方法であって、
必要とされる信号成分を含む受信信号を前処理し、
前処理された信号を１個あるいはそれ以上の周波数範囲の各々に対する、それぞれのＡＣＩ検出濾波器を用いて濾波し、
それぞれのＡＣＩ検出濾波器からの濾波された信号に関する、推定されたエネルギーおよびしきい値に基づいて、各周波数範囲内のＡＣＩの存在あるいは非存在を決定し、
１個あるいはそれ以上の周波数範囲の各々における、決定されたＡＣＩの存在あるいは非存在に基づいて、複数の可能な濾波器応答の中から特定の濾波器応答を選択し、ここで、複数の可能な濾波器応答は有限インパルス応答（ＦＩＲ）濾波器に対する複数の濾波器係数の組み合わせによって与えられ、そして
前処理された信号を選択された濾波器応答を用いて濾波する
ことを含む方法。
【請求項１８】
隣接チャネル干渉（ＡＣＩ）を検出するための方法であって、
必要とされる信号成分を含む前処理された信号を、１個あるいはそれ以上の周波数範囲の各々に対するそれぞれのＡＣＩ検出濾波器を用いて濾波し、
各ＡＣＩ検出濾波器からの濾波された信号のエネルギーを推定し、
各ＡＣＩ検出濾波器に対する推定されたエネルギーをそれぞれのしきい値に対して比較し、そして
比較の結果に基づいて各周波数範囲内のＡＣＩの存在あるいは非存在に関する表示を与える
ことを含む方法。
【請求項１９】
必要とされる信号成分を含む前処理された信号を、１個あるいはそれ以上の周波数範囲の各々に対する、それぞれの隣接チャネル干渉（ＡＣＩ）検出濾波器を用いて濾波し、
それぞれのＡＣＩ検出濾波器からの濾波された信号に関する推定されたエネルギーおよびしきい値に基づいて、各周波数範囲におけるＡＣＩの存在あるいは非存在を決定し、そして
１個あるいはそれ以上の周波数範囲の各々における決定されたＡＣＩの存在あるいは非存在に基づいて、複数の可能な濾波器応答の中から選択された特定の濾波器応答を用いて前処理された信号を濾波するための、ディジタル情報を解釈することが可能なディジタル信号処理デバイス（ＤＳＰＤ）と通信できるように結合されたメモリ。
【請求項２０】
必要とされる信号成分を含む前処理された信号内の１個あるいはそれ以上の周波数範囲の各々における、ＡＣＩの存在あるいは非存在を決定するように形成された隣接チャネル干渉（ＡＣＩ）検出器と、そして
決定された１個あるいはそれ以上の周波数範囲の各々におけるＡＣＩの存在あるいは非存在に基づいて、複数の可能な濾波器応答の中から選択された特定の濾波器応答を用いて、前処理された信号を濾波するように形成された選択可能な濾波器と
を含むディジタル信号処理装置。
【請求項２１】
必要とされる信号成分を含む前処理された信号内の１個あるいはそれ以上の周波数範囲の各々における、隣接チャネル干渉（ＡＣＩ）の存在あるいは非存在を決定するための手段と、そして
決定された１個あるいはそれ以上の周波数範囲の各々におけるＡＣＩの存在あるいは非存在に基づいて、複数の可能な濾波器応答の中から選択された特定の濾波器応答を用いて、前処理された信号を濾波するための手段と
を含む受信機処理装置。
【請求項２２】
必要とされる信号成分を含む受信された信号を前処理するように形成されたフロントエンドユニットと、
１個あるいはそれ以上の周波数範囲の各々における前処理された信号内の、ＡＣＩの存在あるいは非存在を決定するように形成されている隣接チャネル干渉（ＡＣＩ）検出器と、そして
決定された１個あるいはそれ以上の周波数範囲の各々におけるＡＣＩの存在あるいは非存在に基づいて、複数の可能な濾波器応答の中から選択された特定の濾波器応答を用いて、前処理された信号を濾波するように形成されている選択可能な濾波器と
を含む、無線通信システムにおける受信機ユニット。
【請求項２３】
ここで、ＡＣＩ検出器は
１個あるいはそれ以上の周波数範囲に対する前処理された信号を濾波するように形成されている、１個あるいはそれ以上のＡＣＩ検出濾波器を含む、
請求項２２記載の受信機ユニット。
【請求項２４】
ここで、ＡＣＩ検出器は、それぞれのＡＣＩ検出濾波器からの濾波された信号に関する、推定されたエネルギーおよびしきい値に基づいて、各周波数範囲におけるＡＣＩの存在あるいは非存在を決定するように形成されている、請求項２３記載の受信機ユニット。
【請求項２５】
ここで、選択可能な濾波器は有限インパルス応答（ＦＩＲ）濾波器として実現され、そしてここで複数の可能な濾波器応答は、複数の濾波器係数の組み合わせによって与えられる、請求項２２記載の受信機ユニット。
【請求項２６】
ここで、選択可能な濾波器は複数の可能な濾波器応答を与えるために、調整可能な係数を有する適応濾波器として実現される、請求項２２記載の受信機ユニット。
【請求項２７】
請求項２２記載の受信機ユニットを含む端末。
【請求項２８】
請求項２２記載の受信機ユニットを含む基地局。
【請求項２９】
無線通信システムにおける受信機装置であって、
必要とされる信号成分を含む受信された信号を前処理するための手段と、
１個あるいはそれ以上の周波数範囲の各々における前処理された信号内の、隣接チャネル干渉（ＡＣＩ）の存在あるいは非存在を決定するための手段と、そして
決定された１個あるいはそれ以上の周波数範囲の各々におけるＡＣＩの存在あるいは非存在に基づいて、複数の可能な濾波器応答の中から選択された特定の濾波器応答を用いて、前処理された信号を濾波するための手段と
を含む受信機装置。
【発明の詳細な説明】
【技術分野】
【０００１】
本発明は、一般的にはデータ通信、そしてより特定的には無線（たとえばＣＤＭＡ）通信システムにおいて隣接チャネル干渉（ＡＣＩ：adjacent channel interference）を検出し、軽減するための方法に関する。
【背景技術】
【０００２】
無線通信システムは、音声、データ等の通信に関する種々の形式を与えるために広く展開されている。これらのシステムは複数のユーザとの通信をサポートすることが可能な多元接続システムであるかも知れず、そして符号分割多元接続（ＣＤＭＡ：code division multiple access）、時間分割多元接続（ＴＤＭＡ：time division multiple access）、周波数分割多元接続（ＦＤＭＡ：frequency division multiple access）、あるいは若干の他の多元接続技術に基づいているかも知れない。ＣＤＭＡシステムは、増加されたシステム容量を含む、システムの他の形式に勝る確実な利点を与えることが可能である。
【０００３】
ＣＤＭＡシステムはまた、ＩＳ‐９５、ｃｄｍａ２０００、ＩＳ‐８５６、Ｗ‐ＣＤＭＡ、他の標準およびそれらの変形等の、既知のＣＤＭＡ標準を実行するように設計することが可能である。各々のＣＤＭＡ標準は典型的には、伝送に先立ってデータを拡散するための特定のチップレート、および順方向リンク上の搬送波信号間のそれぞれの最小間隔を定義する。チップレートは、ＣＤＭＡチャネル上に送信される変調された信号の帯域幅を決定し、そして搬送波周波数は変調された信号の中心周波数を決定する。たとえば、ＩＳ‐９５Ａ／Ｂ、ｃｄｍａ２０００‐１Ｘ、およびｃｄｍａ２０００‐１Ｘ  ＥＶにおいては、チップレートは１．２２８８Ｍｃｐｓとして定義され、そして搬送波信号間の最小間隔はセルラ帯域（すなわち８００ＭＨｚ範囲）に対しては１．２３ＭＨｚ、そしてＰＣＳ帯域（すなわち１９００ＭＨｚ範囲）に対しては１．２５ＭＨｚである。
【０００４】
各ＣＤＭＡ標準は典型的には、変調された信号に対する特定の送信マスクをさらに定義する。送信マスクは周波数の範囲に亙っての変調された信号に対する最大および最小振幅値を定義する。送信マスクはこのように、各ＣＤＭＡチャネルのベースバンド送信パルスをチップレートの半分以下に効率的に帯域制限を行う（すなわち｜ｆ｜＜Ｗ／２、ここでＷはチップレートに関係し、そしてＩＳ‐９５およびｃｄｍａ２０００‐１Ｘに対しては１．２２８８ＭＨｚに等しい）。送信マスク規格は厳格なものではないので、各ＣＤＭＡチャネルは信号エネルギーの若干の量を隣接チャネルの中に“滲み出させ”そしてそこで、それは隣接チャネル干渉（ＡＣＩ）として認識される。
【０００５】
ＡＣＩは、受信機（たとえば端末）において認められる全雑音および干渉を構成する成分の一つである。順方向リンク上において、最大信号対雑音および干渉比（ＳＩＮＲ：signal-to-noise-and-interference-ratio）を１．２３ＭＨｚおよび１．２５ＭＨｚのチャネル間隔に対して、それぞれ近似的に１３ｄＢおよび１５ｄＢに制限することによって、 ＡＣＩはノイズフロアを増加させることを示すことが可能である。
【０００６】
ＣＤＭＡシステムにおいては、各ユーザに対するデータは全システム帯域幅上に拡散される。拡散はデータレートに対するシステム帯域幅の比によって変化する利得量をもった処理利得を与える。データレートが低い場合（たとえば音声および低レートデータ）、処理利得は大きく、そしてこのことはデータが低いＳＩＮＲで回復されることを可能とする。たとえば、 ＩＳ‐９５Ａ／Ｂおよびｃｄｍａ２０００‐１Ｘシステムにおいては、端末は典型的には０ｄＢあるいはそれ以下のＳＩＮＲで動作する。このように低いＳＩＮＲレベルにおいては、熱雑音および他の送信機からの伝送に起因する干渉が支配的であり、そしてＡＣＩに起因する寄与は、典型的には他の成分のそれに比較して無視できる。
【発明の開示】
【発明が解決しようとする課題】
【０００７】
しかしながら、データレートが増加するにつれて処理利得は減少し、そして特性に関する必要とされるレベルを達成するために、より高いＳＩＮＲが必要とされる。たとえば、 ｃｄｍａ２０００‐１Ｘ  ＥＶシステムにおいては、順方向リンク上でサポートされる最も高いデータレートに対しては、ほぼ１０ｄＢのＳＩＮＲが必要とされる。 ＡＣＩはそこで、全ＳＩＮＲに大きい影響を与えるかも知れない、無視することのできない成分である。
【０００８】
その結果、当業界においては、より高いデータレートに対して必要とされるより高いＳＩＮＲを達成するために、ＣＤＭＡシステム内のＡＣＩを軽減するためのニーズが存在する。
【課題を解決するための手段】
【０００９】
本発明の観点は、無線（たとえばＣＤＭＡ）通信システムにおける隣接チャネル干渉（ＡＣＩ）を検出しそして軽減するための技術を与える。これらの技術はより高いＳＩＮＲを達成するために使用することが可能であり、そしてそれは、より高いデータレートをサポートするために必要とされるかも知れない。
【００１０】
一つの観点においては、技術は必要とされる信号成分を有している“前処理された”（すなわちフロントエンド信号調整後の）信号内の、ＡＣＩの存在および周波数位置を検出するために与えられる。一つの構成においては、ＡＣＩは、（１） ＡＣＩが存在するかも知れない１個あるいはそれ以上の（典型的には狭帯域の）周波数範囲の各々の中の予備処理された信号を濾波し、（２）各周波数範囲に対する濾波された信号のエネルギーを推定し、（３）各周波数範囲に対する推定されたエネルギーをそれぞれのＡＣＩしきい値に対して比較し、そして（４）比較の結果に基づいて各周波数範囲におけるＡＣＩの存在あるいは非存在を示すことによって、検出することが可能である。たとえば、各周波数範囲は、この周波数範囲におけるＡＣＩの予想されるスペクトル分布(spectral profile)にほぼ整合する応答を有している、それぞれの帯域通過濾波器を用いて濾波されるかも知れない。あるいは、ＡＣＩの存在および位置は、シグナリング（たとえば送信機からの）に基づいて、あるいは若干の他の手段によって決定されるかも知れない。
【００１１】
他の観点においては、前処理された信号に対して濾波を与え、そして検出されたＡＣＩ（もしもある場合は）を排除するために、いくつかの可能な濾波器応答を有する選択可能な（selectable）濾波器が用いられるかも知れない。選択可能な濾波器は、たとえば、有限インパルス応答（ＦＩＲ：finite impulse response）濾波器を用いて実現することが可能である。濾波器係数に関するいくつかの組み合わせが、可能な濾波器応答を与えるために使用されるかも知れない。可能な濾波器応答の一つは、ＡＣＩが検出されているか否か、およびＡＣＩが検出される周波数範囲によって、使用に対して選定される。
【００１２】
本発明に関する種々の観点および実施例がさらに詳細に以下に記述される。本発明はさらに、方法、ディジタル信号処理装置、受信機ユニット、端末、基地局および他の装置、および、種々の観点、実施例、および本発明の特徴を実現するエレメントを、以下にさらに詳細に記述されるように与える。
【発明を実施するための最良の形態】
【００１３】
本発明の特徴、本質、および利点が、図面と関連させた場合に、以下に記載する詳細な記述からより明白になろう。図面において同様の参照符号は全体を通じてそしてこの中で同一のものと認定する。
図１Ａは、多チャネルＣＤＭＡシステムに対するスペクトル例を示す線図である。この例においては、３個の変調された信号が、少なくとも定義された△ｆｍｉｎの最小チャネル間隔によって分離されているＣＤＭＡチャネルで、ｆ１、ｆ２、およびｆ３の中心周波数において３個のＣＤＭＡチャネル上に送信される（すなわち、ｆ２−ｆ１＝△ｆ ≧△ｆｍｉｎ およびｆ３−ｆ２＝△ｆ ≧△ｆｍｉｎ ）。各変調された信号は、濾波され、あるいはそうでない場合は、それが定義された送信マスクに適合するように処理される。ゆるい送信マスク規格のために、変調された信号は帯域端部付近で重なり合う。図１Ａにおいて陰影をつけられた領域によって示される重なり合った領域は、隣接チャネル干渉（ＡＣＩ）を示している。
【００１４】
図１Ｂは、変調された信号の一つ（たとえば、図１Ａにおけるｆ１を中心とする一つ）に対するベースバンドパルス整合応答を示している線図である。もしも通信チャネルが平坦な応答を有し、そして、もしも受信機におけるフロントエンド処理に関する全体の応答が、ベースバンド送信パルスにほぼ整合する場合は、そこで必要とされるベースバンド信号は図１Ｂに示されたスペクトル１２２を有し、そして隣接上側ＣＤＭＡチャネル上への伝送に起因するＡＣＩは応答１２４を有する。図１Ｂに示されたように、ＡＣＩは受信機においてスペクトル的に白色ではないが、しかし代わりに帯域端部付近の周波数範囲に局在している。この場合、種々の技術がＡＣＩの存在に対する検出のために、そしてもしも検出されれば、その特性に与える影響を軽減するために使用が可能である。
【００１５】
本発明の観点は、特性を改善するためにＡＣＩを検出しそして軽減するための種々の技術を与える。一つの観点においては、技術はＡＣＩの存在を決定するために与えられる。これは、ＡＣＩが存在するかも知れないいくつかの（狭帯域）周波数範囲の各々における、エネルギーを検出することによって達成することが可能である。あるいは受信機はＡＣＩの存在に関してシグナリングによって、あるいは若干の他の手段によって伝達するかも知れない。他の観点においては、 ＡＣＩが検出されているか否か、およびどこでそれが検出されているかによって異なる、使用に対して選択される特定の濾波器応答を備えた、いくつかの可能な濾波器応答を有する選択可能な濾波器が与えられる。選択可能な濾波器は、固定された濾波器の集合で実現することが可能であり、そしてそれは単一の濾波器およびいくつかの濾波器係数の組み合わせをもって実現することが可能である。本発明に関するこれらのおよび他の観点および実施例は、以下にさらに詳細に記述される。
【００１６】
図２は、本発明の種々の観点および実施例を実現することが可能な受信機ユニット２００の一つの実施例に関するブロック線図である。１個あるいはそれ以上の送信機から送信された１個あるいはそれ以上の信号はアンテナ２１２によって受信され、そして受信された信号は信号処理装置２２０（それは、フロントエンドユニットとしてもまた参照されるかも知れない）に与えられる。
【００１７】
信号処理装置２２０の中で、受信された信号は増幅器２２２によって増幅され、受信濾波器２２４によって濾波され、周波数ダウンコンバータ／復調器２２６によって周波数ダウンコンバートされそして直交復調され、そして１個あるいはそれ以上のアナログディジタル変換器（ＡＤＣ：analog-to-digital converter）２２８によって複素ＡＤＣサンプルを与えるためにディジタイズされる。ＡＤＣサンプルは、複素受信されたデータサンプルを与えるために、ディジタル前処理装置２３０によってさらに前処理（たとえば濾波）される。たとえばディジタル前処理装置２３０は、ベースバンドパルス整合された濾波、デシメーション(decimation)、サンプルレート変換、他のディジタル信号処理操作、あるいはこれらの任意の組み合わせを実行するかも知れない。受信されたデータサンプルはそこでＡＣＩ圧縮ユニット２４０に与えられる。
【００１８】
典型的な受信機設計においては、受信された信号の調整は、１個あるいはそれ以上の増幅器、濾波器、ミクサ等の段階によって実行することが可能である。たとえば、受信された信号は、最初に第１局部発信器（ＬＯ：local oscillator）信号で中間周波数（ＩＦ：intermediate frequency）にダウンコンバートされ、そしてその後に第２のＬＯ信号でベースバンドに（直交）ダウンコンバートされるかも知れない。単純化のためにこれらの種々の信号処理段階は図２に示されるブロックに集約される(are lumped together)。他の受信機設計もまた用いられるかも知れず、そして本発明の範囲内にある。
【００１９】
図２に示された実施例においては、ＡＣＩ圧縮ユニット２４０はＡＣＩ検出器２４４と結合した選択可能な濾波器２４２を含む。選択可能な濾波器２４２は、ＡＣＩが検出されているか否かおよびどこでそれが検出されているかによって異なる、選択された応答を備えたいくつかの可能な応答の中から選択することが可能な、特定の応答を有する濾波器を用いて受信されたデータサンプルを濾波する。特定の例として、もしもＡＣＩが（図１Ｂに示されたように）必要とされる信号の上側帯域端部のみにおいて検出される場合は、第１の濾波器応答を用いることが可能であり、もしもＡＣＩが下側帯域端部のみにおいて検出される場合は、第２の濾波器応答を用いることが可能であり、もしもＡＣＩが上側および下側帯域端部の両方で検出される場合は、第３の濾波器応答を用いることが可能であり、そしてもしもＡＣＩが検出されていない場合は第４の濾波器応答を用いることが可能である。選択可能な濾波器２４２は、異なった応答を有する濾波器の集合として、濾波器係数を適合させることによって調整することが可能な応答を有する適応濾波器として、あるいは若干の他の濾波器設計を用いて実現することが可能である。
【００２０】
ＡＣＩ検出器２４４は、受信された信号におけるＡＣＩの存在あるいは非存在について検出する。特定の例として、 ＡＣＩ検出器２４４は、ＡＣＩが上側帯域端部、下側帯域端部、上側および下側帯域端部の両者に存在するか、あるいは全く存在しないかどうかを検出するように設計することが可能である。 ＡＣＩ検出器２４４はそこで、検出されたＡＣＩに関する表示を選択可能な濾波器２４２に与える。選択可能な濾波器２４２および ＡＣＩ検出器２４４に対する種々の設計が以下にさらに詳細に記述される。
【００２１】
ＡＣＩ圧縮ユニット２４０からの濾波されたサンプルはそこで受信（ＲＸ：receive）データ処理装置２５０に与えられる。図２に示される実施例においては、ＲＸデータ処理装置２５０は復号器２５４に結合されたディジタル復調器２５２を含む。復調器２５２は復調されたデータを与えるために濾波されたサンプルを復調し、そしてレイク受信機、適応等化器、若干の他の復調器設計、あるいはこれらの組み合わせとともに実現することが可能である。復号器２５４はそこで復号されたデータを与えるために復調されたデータを復号する。
【００２２】
制御器２６０は、信号処理装置２２０、ＡＣＩ圧縮ユニット２４０、およびＲＸデータ処理装置２５０に関する種々の動作を指示する。たとえば、制御器２６０は、ＡＣＩ検出器２４４におけるＡＣＩ検出のために使用されるしきい値、および選択可能な濾波器２４２に対する濾波器係数等を与えて、必要とされる変調された信号がＲＦからベースバンドに信号処理装置２２０内でダウンコンバートされるように、受信された信号に関するダウンコンバージョンを指示するかも知れない。メモリ２６２は、制御器２６０のためのデータ（たとえば濾波器係数、しきい値等）およびプログラム符号に対する保存を与える。
【００２３】
ＡＣＩ検出
受信された信号におけるＡＣＩの存在あるいは非存在は、種々の構成を用いて検出し、あるいは決定することが可能である。一つの構成においては、ＡＣＩの存在は送信機（たとえばＣＤＭＡシステムにおける基地局）から受信機（たとえば端末）へのメッセージおよび／あるいはシグナリングによって通信される。若干のシステム展開のために、システムは、用いられている個々のＣＤＭＡチャネル、それらの中心周波数、何れかの与えられたＣＤＭＡチャネル上にＡＣＩが存在するか否か、および各ＣＤＭＡチャネル上のＡＣＩの周波数位置を知っている。ＡＣＩ情報（たとえばそれは各アクティブなＣＤＭＡチャネルに対して隣接したＣＤＭＡチャネル上にアクティブな伝送が存在するか否かを示すかも知れない）は、たとえば、同期チャネル(Sync channel)上の放送メッセージとしてシステム形成期間中のメッセージングによって、あるいは若干の他の手段によって端末に伝えることが可能である。一旦端末がＡＣＩの存在および周波数位置に関して情報を与えられれば、端末はＡＣＩを軽減するために各ＣＤＭＡチャネルに対する適切な濾波応答を選定することが可能である。
【００２４】
ＡＣＩを検出するための他の構成においては、受信された信号はＡＣＩの存在および周波数位置について解析される。ＡＣＩに関する既知の特性は、ＡＣＩ検出の精度を改善するために利用されることが可能である。図１Ａおよび１Ｂに示される例に対しては、ＡＣＩは、あったとしても、帯域端部近傍に位置することが知られている。この場合、帯域通過濾波器がＡＣＩに対する濾波および検出のために用いられることが可能である。
【００２５】
図３は、図２におけるＡＣＩ検出器２４４の、一つの実施例であるＡＣＩ検出器２４４ａに関するブロック線図である。この実施例においては、信号処理装置２２０からの受信されたデータサンプルは、１ユニットがＡＣＩが検出されるべき各周波数範囲に対するものであるＡＣＩ検出ユニット３１０の集合に与えられる。図１Ａおよび１Ｂに示される例に対しては、上側帯域端部内のＡＣＩに対して検出するように設計されているユニット３１０ａ、および下側帯域端部内のＡＣＩに対して検出するように設計されているユニット３１０ｂの、２個のＡＣＩ検出ユニット３１０ａおよび３１０ｂの使用が可能である。
【００２６】
各ＡＣＩ検出ユニット３１０は、ＡＣＩに関して予想されるスペクトル（すなわちスペクトル分布）にほぼ整合することが可能な応答を有する帯域通過濾波器３１２を含む。たとえば、図１Ｂにおいてプロット１２４によって示される、上側帯域端部内のＡＣＩに対して検出を行うために、ｆｕｐの中心周波数およびＢＷｕｐの帯域幅をもつ帯域通過濾波器３１２の設計が可能である。
【００２７】
帯域通過濾波器３１２の中心周波数および帯域幅は、（１）隣接するＣＤＭＡチャネルに対する実際のチャネル間隔△ｆ、（２）ＣＤＭＡチャネルに関するチップレートＷ、（３）送信マスク規格、（４）受信されたデータサンプルを導出するために受信機ユニットにおいて実行されているかも知れない何らかの予備的濾波、等の種々の要因によって異なるかも知れない。もしも受信された信号が、ベースバンドパルス整合濾波器を用いて濾波され、そしてＡＣＩは、図１Ｂにおけるプロット１２４によって示されるようなスペクトル分布を有する場合は、そこで帯域通過濾波器の中心周波数（ベースバンドにおける）は、隣接するＣＤＭＡチャネルの中心周波数に対して中間にある（すなわちｆｕｐ ＝△ｆ ／２、ここで△ｆ は実際のチャネル間隔）ように選定することが可能であり、そして帯域幅はＡＣＩスペクトル分布にほぼ整合するように選定することが可能である。
【００２８】
ＡＣＩ検出ユニット３１０ａおよび３１０ｂ内の帯域通過濾波器はそれぞれ、 ｆｕｐ ≒△ｆ ／２およびｆｌｏｗｅｒ≒−△ｆ／２の中心周波数、およびそれぞれＢＷｕｐおよびＢＷｌｏｗｅｒの帯域幅を有する複素濾波器として実現することが可能である。
【００２９】
各ＡＣＩ検出ユニット３１０内の帯域通過濾波器３１２は、受信されたデータサンプルを濾波し、そして（複素）帯域通過濾波されたサンプル（すなわちＩＢＰＦ＋ｊＱＢＰＦ）を与える。振幅二乗器(magnitude squarer)３１４はそこで各複素帯域通過濾波されたサンプルの振幅の二乗（すなわちＩＢＰＦ２＋ＱＢＰＦ２）を計算する。そしてそれはそのサンプルに対する電力の標本である。累算器３１６はそこで帯域通過濾波されたサンプルのエネルギーに関する推定を与えるために、二乗器３１４からの振幅二乗の個々の数（ＮＢ個の）を累算（すなわち非コヒーレントに加算）する。そしてそれは、
【００３０】
【数１】
2005509352.tif 000003
として表現することが可能である。
あるいは、推定されたエネルギーＥＡＣＩは、
【００３１】
【数２】
2005509352.tif 000004
として決定することが可能である。推定されたエネルギーＥＡＣＩはまた、若干の他の定式化に基づいて定義し、あるいは決定することが可能である。そしてこれは、本発明の範囲内にある。
帯域通過濾波器によってカバーされた周波数範囲に対する推定されたエネルギーＥＡＣＩはそこで比較器３１８によってＡＣＩしきい値に対して比較される。もしも推定されたエネルギーがＡＣＩしきい値よりも大きい場合は、そこでＡＣＩ表示器は帯域通過濾波器によってカバーされている周波数範囲（すなわち位置）におけるＡＣＩの存在を示すためにセットされる。そうでない場合は、ＡＣＩ表示器はこの周波数範囲におけるＡＣＩの非存在を示すためにリセットされる。
【００３２】
ＡＣＩしきい値は種々の考慮に基づいてセットされるかも知れない。もしも隣接したＣＤＭＡチャネル上の変調された信号が同じ送信機（たとえば同じ基地局）から送信される場合は、そこでこれらの信号は同様なチャネル条件（すなわち同様なフェージングおよびマルチパス効果）を経験するであろう。この場合は、変調された信号の電力レベルは端末において受信されたときに同様なものであろう。受信された信号は、（図１Ｂにおいてプロット１２２によって示される応答を与えるために）最初に整合された濾波器を用いて濾波され、そしてプロット１２４によって示される応答を備えた帯域通過濾波器がＡＣＩを検出するために用いられる。ＡＣＩしきい値は、経験的な測定、計算機シミュレーション、あるいは若干の他の手段によって決定することが可能である。
【００３３】
ＡＣＩ検出器２４４ａはまた、種々の方法で実現することが可能である。一つの実施例においてはＡＣＩ検出器はハードウエア内で実現される。他の実施例においてはＡＣＩ検出器は、処理装置（たとえば制御器２６０）によって実行されるソフトウエア内で実現することが可能である。この実施例はＡＣＩ検出が典型的には与えられたシステムとの通信の開始時に（あるいはその最初の通信の直前に）、一度だけ実行される必要があることから有利であるかも知れない。この場合、ＡＣＩが予想されるかも知れない多くの周波数範囲（たとえば上側帯域端部および下側帯域端部）の各々におけるＡＣＩに対して連続的に検出することが可能である。この実現は必要とされるＡＣＩ検出を最小の（あるいはゼロの）付加的なハードウエアコストで与えることが可能である。
【００３４】
以上に記述された形式に関する種々の変形がＡＣＩの存在および周波数位置に対する検出のために使用可能であり、そしてこれは本発明の範囲内にある。たとえば（帯域通過濾波器の代わりに）高域通過濾波器が、受信されたデータサンプル内のＡＣＩの存在に対する検出のために使用可能である。
【００３５】
ＡＣＩの存在および周波数位置を検出しあるいは決定するための他の形式がまた使用可能であり、そしてそれらは本発明の範囲内にある。一つのこのような代わりの形式においては、２個の隣接したＣＤＭＡチャネルの各々の中の変調された信号は（必要とされるＣＤＭＡチャネル上の変調された信号の代わりに）ベースバンドにダウンコンバートされそして検出される。これは、受信された信号をダウンコンバートするために周波数ダウンコンバータ／復調器２２６に与えられるＬＯ信号の周波数を調整することによって達成可能である。ダウンコンバートされた信号のエネルギーは受信信号強度表示器（ＲＳＳＩ：received signal strength indicator）あるいは当業界において既知の若干の他の技術を用いて検出可能である。
【００３６】
ＡＣＩ濾波
ＡＣＩを軽減するための濾波は、種々の濾波形式を用いて達成可能である。これらの形式の若干が以下に記述される。
一つのＡＣＩ濾波形式においては、いくつかの異なった濾波器の一つがＡＣＩ（もしもあるならば）の存在および周波数位置によって異なる使用のために選定される。図１Ａおよび１Ｂに示される例に対しては、ＡＣＩは各帯域端部近傍の周波数の範囲に局在している。適切なＡＣＩ排除濾波器（たとえばノッチ濾波器）がそこでＡＣＩを減衰させるために使用される。
【００３７】
ＡＣＩの電力スペクトルは、必要とされる信号の通過帯域の部分が重なり合っているために、ＡＣＩは必要とされる信号電力の過度な量を除去することなしに、可能な限り干渉電力の多くを除去するために、鋭いロールオフをもった濾波器を使用することによって減衰されるかも知れない。このＡＣＩ排除濾波器は濾波されたデータサンプル内のシンボル間干渉（ＩＳＩ：inter-symbol interference）を増加させるかも知れない。普通に設計されたＡＣＩ排除濾波器はＡＣＩの減少とＩＳＩの増加との平衡をとるであろう。それは、 ＡＣＩ排除濾波器は雑音および干渉がＡＣＩ、ＩＳＩ、帯域内干渉を含むその出力におけるＳＩＮＲおよび、濾波された熱雑音を最大とするであろう。
【００３８】
ＳＩＮＲを最大とするＡＣＩ排除濾波器は最小二乗平均誤差（ＭＭＳＥ：minimum mean-squared error）基準を用いて設計することが可能である。このような濾波器に対する設計例は次のように進む。この設計例においては、濾波器はＡＣＩが隣接する上側ＣＤＭＡチャネルから発生しており、そして隣接する下側ＣＤＭＡチャネルからはＡＣＩは存在しない場合に使用されるべきである。典型的であるように、必要とされる、および上側ＣＤＭＡチャネルは同じ送信機（たとえば同じ基地局）から送信され、そして同じ送信電力レベルが両方のチャネルに対して用いられる。基地局から両ＣＤＭＡチャネルに対して送信された信号ｘ（ｔ）はそこで、
【００３９】
【数３】
2005509352.tif 000005
として表現することが可能である。ここで、
ｐ（ｔ）は、必要とされるＣＤＭＡチャネルの単位エネルギー送信パルスであり、
【００４０】
【数４】
2005509352.tif 000006
は上側ＣＤＭＡチャネルの単位エネルギー送信パルス(unit-energy transmit   
pulse)であり、
｛ａｎ｝および｛ｂｎ｝は、それぞれ必要とされるおよび上側ＣＤＭＡチャネルに送信  
されたシンボルであり、そして
Ｔｃはシンボル期間を示す（すなわちＴｃ＝１／Ｗ）。
【００４１】
受信機のアンテナにおいて受信された信号ｒ（ｔ）は
【００４２】
【数５】
2005509352.tif 000007
として表現することが可能である。ここで、
ｈ（ｔ）は、マルチパスチャネルであるかも知れない通信チャネルに関するインパル
ス応答であり、
ｎ（ｔ）はＮ０／２の電力スペクトル密度をもつ白色ガウス雑音であり、そして
【００４３】
【数６】
2005509352.tif 000008
は、畳み込み操作を示す。
一つの実施例においては、受信された信号はパルス整合濾波器によって濾波され、そしてそこで受信されたデータサンプルｙｋを与えるために、チップレートの複数倍（たとえばチップレートの２倍、すなわちチップ×２）ディジタイズされ、そしてそれはそこでＡＣＩ排除濾波器に与えられる。一つの実施例においてはＡＣＩ排除濾波器は、２Ｍ＋１個のタップおよび｛ｃｍ：ｍ＝−Ｍ…Ｍ｝の係数を有する、有限インパルス応答（ＦＩＲ）濾波器として実現される。チップ×２サンプリングを仮定するとＦＩＲ濾波器からの濾波されたデータサンプル
【００４４】
【数７】
2005509352.tif 000009
は、
【００４５】
【数８】
2005509352.tif 000010
として表現することが可能である。
ＭＭＳＥ基準に対しては、濾波器係数は平均二乗誤差ＭＳＥを最小とするために選択され、そしてそれは、
【００４６】
【数９】
2005509352.tif 000011
として表現することが可能である。ここでａｋは実際のシンボルであり、そしてＥは期待値演算(expectation operation)である。これはウィーナー濾波器(Wiener filter)を見出すことに関する単純な問題であり、そして一般的に解はマルチパスチャネル応答ｈ（ｔ）によって異なる。もしもマルチパスチャネルに対して補償を行うために適応等化器が連続的に用いられる場合には、とくに有効である単純化として、チャネル応答は平坦（すなわちＦ｛ｈ（ｔ）｝＝１、ここでＦはフーリエ変換を示す）であると仮定する。濾波器係数ｃｍはそこで、このｈ（ｔ）＝δ（ｔ）とする単純化で決定することが可能である。また、ＡＣＩ排除濾波器は、第１にＡＣＩに対して補償を行うことを目的としているので、ジオメトリーＥｃ／Ｎ０はシステムの動作範囲の上限(high end)にある（それはｃｄｍａ２０００‐１Ｘ  ＥＶに対してはほぼ１５ｄＢである）ように選択することが可能である。
【００４７】
ウィーナー濾波器に対する係数は当業界において既知の定形過程によって決定することが可能であり、そしてここでは記述しない。
図１Ｃは隣接する上側ＣＤＭＡチャネルからのＡＣＩを除去するように設計されたＡＣＩ排除濾波器に対する応答を示している線図である。この例においてはＡＣＩ排除濾波器は、△ｆ＝１．２３ＭＨｚのチャネル間隔に対して設計された１０１タップＦＩＲ濾波器として実現されている。そして濾波器の応答は図１Ｃにおけるプロット１２６によって示される。図１Ｃに示されるように濾波器は上側帯域端部近傍において（すなわちｆＴｃ＝０．５において）鋭いロールオフ、および送信パルス内のリップルをほぼ反転する通過帯域応答（それは図１Ｃにおけるプロット１２２によって示される）を有している。この濾波器応答は、他の信号歪みの高まりを最小にしながら上側チャネルＡＣＩを効率的に減衰する。
【００４８】
図４は、図２における選択可能な濾波器２４２の一つの実施例である、選択可能な濾波器２４２ａに関するブロック線図である。受信されたデータサンプルは４個の濾波器４１０ａから４１０ｄの集合に与えられる。濾波器４１０ａは上側ＣＤＭＡチャネルからのＡＣＩを排除するための応答（すなわち図１Ｃにおけるプロット１２６によって示される応答のような）をもって設計することが可能であり、濾波器４１０ｂは下側ＣＤＭＡチャネルからのＡＣＩを排除するための応答をもって設計することが可能であり、濾波器４１０ｃは上側および下側ＣＤＭＡチャネルの両者からのＡＣＩを除去するための応答をもって設計することが可能であり、そして濾波器４１０ｄはＡＣＩが存在しない場合に適切な応答をもって設計することが可能である。任意の与えられた瞬間において、４個の濾波器４１０ａから４１０ｄまでの１個が濾波器選択制御（それはＡＣＩ検出器２４４によって与えられることが可能である）に基づいて使用のために選択される。選択された濾波器４１０はそこで、受信されたデータサンプルを、濾波されたサンプルを与えるためにその濾波器応答をもって濾波する。そしてそれはそこで濾波されたサンプルとして選択可能な濾波器２４２ａから与えられる。
【００４９】
図４は、選択可能な濾波器に関する図的表示を示し、そしてそれはＡＣＩを排除するための濾波に関してより良い理解を与えるために用いられる。実際的な実現においては、ただ１個の濾波器が実現されるかも知れず、そしてその係数は係数のいくつかの組み合わせの中から選択されるかも知れない。使用されるべき係数の特定の組み合わせは必要とされる周波数応答によって異なり、そしてそれは続いてＡＣＩの存在および位置によって異なる。たとえば、１個のＦＩＲ濾波器が実現されるかも知れず、そして係数の４個の可能な組み合わせが、濾波器４１０ａ、４１０ｂ、４１０ｃ、および４１０ｄに対して導出されそして（たとえばメモリ２６２内に）保存されるかも知れない。ＡＣＩの存在および位置の検出の際に、係数の４個の組み合わせの妥当な１個がそこでＦＩＲ濾波器に対して選択されそして使用されることが可能である。
【００５０】
ＡＣＩのスペクトル分布は、典型的には与えられた受信機設計およびシステムに対して時間的には変化しない種々の要因（たとえばチャネル間隔、受信機濾波、等）によって異なるために、濾波器係数は一度だけ導出しそして後の使用のために保存することが可能である。係数は計算機シミュレーション、現場での使用あるいは製造の期間中に適用された適応アルゴリズム等の種々の手段によって決定することが可能である。他の実施例においては、係数は送信機（たとえば基地局）によって受信機（たとえば端末）に、たとえばシステム形成の期間中に送出することが可能である。
【００５１】
多くの受信機設計に対して、データサンプルはこれに続く処理（たとえばディジタル復調器２５２による復調）に先立って、高い波形忠実度を達成するためにベースバンドパルス整合濾波器を用いて濾波される。ベースバンドパルス整合濾波器は、アナログ濾波器あるいはディジタル（たとえばＦＩＲ）濾波器で実現することが可能である。たとえば、ベースバンドパルス整合ＦＩＲ濾波器は、図２におけるディジタル前処理装置２３０によって実現することが可能である。
【００５２】
もしもＡＣＩ排除濾波器が固定されたＦＩＲ濾波器として実現される場合（たとえば図４に示されるように）は、そこでベースバンドパルス整合ＦＩＲ濾波器は、 ＡＣＩ排除濾波器と結合されるかも知れない。これは、ベースバンドパルス整合濾波およびＡＣＩ排除の両者を実行することが可能な新しいＦＩＲ濾波器に対する係数を導出するために、ベースバンドパルス整合ＦＩＲ濾波器の係数をＡＣＩ排除濾波器の係数とコンボルブすること(convolving)によって達成可能である。
【００５３】
図４はまた、図２におけるディジタル復調器２５２の一つの実施例である、ディジタル復調器２５２ａに関するブロック線図を示す。この実施例においては、ディジタル復調器２５２ａはレイク受信機４３０と並列に動作する適応等化器４２０を含み、そしてその両者は選択器（ＳＥＬ：selector）４３２に結合する。適応等化器４２０は、受信された信号内のＩＳＩの総量を減少しそしてＳＩＮＲを最大とするための、等化を与えるために使用することが可能である。受信された信号は典型的には、送信機における信号処理、通信チャネル、および受信機フロントエンドにおける信号処理によって歪みを与えられている。適応等化器４３０は、受信された信号に対する全体の応答を等化するために動作することが可能であり、その結果、ＩＳＩの総量を減少している。より低いＩＳＩはＳＩＮＲを改善することが可能であり、そしてそれはより高いデータレートをサポートするために必要とされるかも知れない。
【００５４】
ディジタル復調器２５２ａの中で、選択可能な濾波器２４２からの濾波されたサンプルは、適応等化器４２０およびレイク受信機４３０に与えられる。適応等化器４２０は濾波されたサンプル上に等化を実行し、そして等化されたサンプルを与える。送信機において実行された処理によって、後処理（たとえば逆拡散およびデカバリング）がさらに回復されたシンボルを与えるために、等化されたサンプル上に実行されるかも知れない。位相回転（これは典型的にはレイク受信機におけるパイロット復調によって達成される）は、濾波器係数が適応されている後に適応等化器４２０によって絶対的に達成される。
【００５５】
レイク受信機４３０は回復されたシンボルを与えるために、受信された信号に関する１個あるいはそれ以上のマルチパスを処理するように形成することが可能である。レイク受信機４３０は、そのマルチパスに対する復調されたシンボルを与えるために、いくつかのマルチパスの各々に対する、ＰＮ逆拡散、デカバリング、およびコヒーレントなデータ復調（回復されたパイロットを用いて）を実行するように形成することが可能である。レイク受信機４３０はそこで、そのデータストリームに対する回復されたシンボルを発生するために、同じデータストリームのためのすべてのマルチパスに対する復調されたシンボルを結合する。
【００５６】
適応等化器４２０およびレイク受信機４３０からの回復されたシンボルはそこで選択器４３２に与えられ、そしてそれは復調器選択制御（それは制御器２６０によって与えられることが可能である）に基づいて適応等価器あるいはレイク受信機の何れかからの回復されたシンボルを選択する。選択された回復されたシンボルはそこで次の処理段階（たとえば復号器２５４）に与えられる。
【００５７】
適応等化器およびレイク受信機の両者を合体したディジタル復号器は、２０００年７月２４日に出願された、“等化器およびレイク受信機を用いる変調された信号を処理するための方法および装置”と題された、米国特許出願シリアル番号０９／６２４，３１９の中にさらに詳細に記述されている。
【００５８】
図５は、ＡＣＩを軽減するための処理５００の一つの実施例に関するフロー線図である。最初に、受信された信号（それは必要とされるＣＤＭＡチャネル上の必要とされる信号成分を含む）は、フロントエンドユニット（たとえば図２における受信信号処理装置２００）によって“前処理された”信号を与えるために、ステップ５１２において前処理される。前処理は、増幅、ダウンコンバージョン、直交復調、濾波（たとえばアンチエイリアスおよび／あるいはパルス整合濾波）、ディジタル化、等を含むかも知れない。前処理された信号は上に記述された受信されたデータサンプルを含むかも知れない。
【００５９】
１個あるいはそれ以上の周波数範囲の各々における、前処理された信号内のＡＣＩの存在あるいは非存在はそこでステップ５１４において決定される。これは前処理された信号を各周波数範囲に対するそれぞれのＡＣＩ検出濾波器（たとえば帯域通過濾波器）を用いて濾波し、 各ＡＣＩ検出濾波器からの濾波された信号のエネルギーを推定し、そして各ＡＣＩ検出濾波器に対する推定されたエネルギーをそれぞれのしきい値に対して比較することにより達成される。あるいはＡＣＩの存在および周波数位置は（たとえば送信機からの）シグナリングによってあるいは若干の他の手段によって決定することが可能である。周波数範囲は、必要とされる信号成分の上側帯域端部および下側帯域端部における狭帯域に対応することが可能である。
【００６０】
それぞれの濾波器応答はそこで、ステップ５１６において、ＡＣＩが１個あるいはそれ以上の周波数範囲の各々の中に存在するかあるいは非存在であるかに基づいて、複数の可能な濾波器応答の中から選択される。複数の可能な濾波器応答は、複数の濾波器係数（たとえばＦＩＲ濾波器に対する）の組み合わせによって与えられるかも知れず、あるいは調整されることが可能な係数を有する適応濾波器によって与えられるかも知れない。複数の可能な濾波器応答は、もしもＡＣＩが必要とされる信号成分（たとえば図１Ｃにおけるプロット１２６によって示されるように）の上側帯域端部内に存在すると決定される場合は、使用のために選択された第１の濾波器応答、もしもＡＣＩが下側帯域端部に存在すると決定される場合は使用のために選択された第２の濾波器応答、もしもＡＣＩが上側および下側帯域端部の両者内に存在すると決定される場合は、使用のために選択された第３の濾波器応答、そしてもしもＡＣＩが存在しない場合は使用のために選択された第４の濾波器応答を含むことが可能である。前処理された信号はそこでステップ５１８において選択された濾波器応答を用いて濾波される。
【００６１】
ここに記述されたＡＣＩを検出しそして軽減するための技術は、ＣＤＭＡシステムを含むしかし限定はされない、種々の無線通信システムにおいて実現することが可能であり、そして順方向リンクおよび／あるいは逆方向リンクに対して使用することが可能である。明確化のために、これらの技術は、ＡＣＩが必要とされる変調された信号の上側、および／あるいは下側帯域端部における狭帯域の中に現れることが可能なＣＤＭＡシステムに対してとくに記述されている。この中に記述される技術はまた、必要とされる信号帯域幅の中でどこにそれが位置することが可能かに関係なく、他の狭帯域干渉の排除に対しても使用することが可能である。狭帯域干渉のスペクトル分布に関する知識は、干渉検出および／あるいは排除濾波器に対する通常の応答を導出するために使用することが可能である。
【００６２】
ここに記述された、ＡＣＩを検出しそして軽減する技術は種々の手段によって実現することが可能である。たとえば、これらの技術はハードウエア、ソフトウエア、あるいはこれらの組み合わせの中で実現することが可能である。ハードウエア実現に対しては、ＡＣＩを検出および／あるいは軽減するために用いられるエレメント（たとえば選択可能な濾波器２４２およびＡＣＩ検出器２４４）は１個あるいはそれ以上の特定用途向け集積回路（ＡＳＩＣ：application specific integrated circuit）、ディジタル信号処理装置（ＤＳＰ:digital signal processor）、ディジタル信号処理デバイス（ＤＳＰＤ：digital signal processing device）、プログラマブル論理デバイス（ＰＬＤ：programmable logic device）フィールドプログラマブルゲートアレイ（ＦＰＧＡ：field programmable gate array）、処理装置、制御器、マイクロ制御器、マイクロ処理装置、この中に記述された機能を実行するように設計された他の電子的ユニット、あるいはこれらの組み合わせの中で実現することが可能である。
【００６３】
ソフトウエア実現に対しては、ＡＣＩを検出および／あるいは軽減するために用いられるエレメントは、ここに記述された機能を実行するモジュール（たとえば手順、機能等）で実現することが可能である。ソフトウエアコードはメモリユニット（たとえば図２におけるメモリ２６２）の中に保存されそして処理装置（たとえば制御器２６０）によって実行することが可能である。メモリユニットは処理装置の中に、あるいは処理装置の外部に実現することが可能であり、いずれの場合もそれ（メモリユニット）は当業界において既知であるような種々の手段によって、処理装置に通信的に結合されている。
【００６４】
この中には標題が参照のために、そしてある節を示すことを助けるために含まれている。これらの標題はこの中に以下に記述される概念の範囲を限定することを意図したものではなく、そしてこれらの概念は全出願明細書を通じて他の節に対する適用可能性を有することが可能である。
【００６５】
開示された実施例に関する以上の記述は、当業界において熟練したいかなる人にも、本発明を作成しあるいは使用することを可能とするために与えられる。これらの実施例に対する種々の変更は、当業界において熟練した人々にとっては容易に明白であろうし、そしてここに定義された一般的原理は、本発明の精神あるいは範囲から逸脱することなしに他の実施例に適用することが可能である。したがって、本発明はここに示した実施例に限定されることを意図したものではなく、しかし、ここに開示された原理および新しい特徴に矛盾しない最も広い範囲に従われるべきものである。
【図面の簡単な説明】
【００６６】
【図１Ａ】図１Ａは、多チャネルＣＤＭＡシステムに対するスペクトル例を示す線図である。
【図１Ｂ】図１Ｂは、変調された信号（たとえば、図１Ａにおけるｆ１を中心とした一つ）に対するベースバンドパルス整合応答およびその隣接チャネル干渉（ＡＣＩ）を示す線図である。
【図１Ｃ】図１Ｃは、隣接する上側ＣＤＭＡチャネルからＡＣＩを除去するよう設計された、ＡＣＩ排除濾波器に対する応答を示す線図である。
【図２】図２は、本発明の種々の観点および実施例を実現することが可能な受信機ユニットの実施例に関するブロック線図である。
【図３】図３は、信号内のＡＣＩの存在および周波数位置を検出するためのＡＣＩ検出器に関するブロック線図である。
【図４】図４は、異なった応答を有する濾波器の集合として実現された、そして検出されたＡＣＩに基づいて選択することが可能な、選択可能な濾波器に関するブロック線図である。そして
【図５】図５は、ＡＣＩを軽減するための処理の一つの実施例に関するフロー線図である。
【符号の説明】
【００６７】
２００…受信機ユニット、  ２１２…アンテナ、  ２２０…信号処理装置、  ２２２…増幅器、  ２２４…受信濾波器、  ２２６…復調器、  ２２８…アナログディジタル変換器、  ２３０…ディジタル前処理装置、  ２４０…ＡＣＩ圧縮ユニット、  ２４２…濾波器、  ２４２ａ…濾波器、  ２４４…ＡＣＩ検出器、  ２４４ａ…ＡＣＩ検出器、  ２５０…受信（ＲＸ）データ処理装置、  ２５２…ディジタル復調器、  ２５４…復号器、  ２６０…制御器、  ２６２…メモリ、  ３１０…ＡＣＩ検出ユニット、  ３１２…帯域通過濾波器、  ３１４…振幅二乗器、  ３１６…累算器、  ３１８…比較器、  ４１０…濾波器、  ４２０…適応等化器、  ４３０…レイク受信機、  ４３２…選択器、  ５００…処理
【図１Ａ】
2005509352.tif 000012
【図１Ｂ】
2005509352.tif 000013
【図１Ｃ】
2005509352.tif 000014
【図２】
2005509352.tif 000015
【図３】
2005509352.tif 000016
【図４】
2005509352.tif 000017
【図５】
2005509352.tif 000018
【国際調査報告】
2005509352.tif 000019
2005509352.tif 000020
2005509352.tif 000021